(57)【特許請求の範囲】
【請求項１】
医薬品を包装するために用いられ、
前記医薬品に関する情報を表示するための表示部が設けられた包装用箱であって、
該包装用箱の本体から前記表示部を切り取るための切り取りラインを備え、
該切り取りラインは、
前記表示部を囲むようにして破線状に延出し、前記表示部の角を規定するための角規定部を少なくとも１つ以上有する第１切り取りラインと、
該第１切り取りラインのうち、前記角規定部において互いに交差しながら延びている一対の延出部分から、それぞれ前記表示部から離れる方向に向かって破線状に延出し、かつ、前記表示部の角を挟むように延びている一対の第２切り取りラインと、
該一対の第２切り取りラインの先端部から、それぞれ前記一対の第２切り取りラインに対して交差方向に向けて破線状に延出し、かつ、前記表示部の角を挟むようにして互いに離間して延びている一対の第３切り取りラインと、を備えていることを特徴とする包装用箱。
【請求項２】
医薬品を包装するために用いられ、
前記医薬品に関する情報を表示するための表示部が設けられた包装用箱であって、
該包装用箱の本体から前記表示部を切り取るための切り取りラインを備え、
該切り取りラインは、
前記表示部を囲むようにして破線状に延出し、前記表示部の角を規定するための角規定部を少なくとも１つ以上有する第１切り取りラインと、
該第１切り取りラインのうち、前記角規定部において互いに交差しながら延びている一対の延出部分から、それぞれ前記表示部から離れる方向に向かって破線状に延出し、かつ、前記表示部の角を挟むように延びている一対の第２切り取りラインと、を備え、
前記切り取りラインのうち、前記一対の延出部分から、それぞれ前記表示部から離れる方向に向かって破線状に延出する、前記一対の第２切り取りラインを含む一対の切り取りライン部分は、互いに離間して延びていることを特徴とする包装用箱。
【請求項３】
前記一対の第３切り取りラインは、互いに略平行となるように延びていることを特徴とする請求項１に記載の包装用箱。
【請求項４】
前記一対の第２切り取りラインは、互いに略平行となるように延びていることを特徴とする請求項１乃至３のいずれか１項に記載の包装用箱。
【請求項５】
前記第１切り取りラインにおける前記角規定部は、湾曲して形成されていることを特徴とする請求項１乃至４のいずれか１項に記載の包装用箱。
【請求項６】
破線状の前記第１切り取りラインのうち、前記角規定部の前記一対の延出部分は、該一対の延出部分以外の部分よりも、実線部分の長さが長くなるように形成されていることを特徴とする請求項１乃至５のいずれか１項に記載の包装用箱。
【発明の詳細な説明】
【技術分野】
【０００１】
本発明は、包装用箱に係り、特に、医薬品を包装するために用いられ、医薬品に関する情報を表示するための表示部が設けられた包装用箱に関する。
【背景技術】
【０００２】
従来、医薬品製剤や医薬品アンプル等の被包装物を包装するための包装用箱において、被包装物に関する情報を表示するための表示部（表示カード）が一体的に設けられているものが知られている。当該包装用箱には箱本体から表示カードを切り取るための切り取りラインが形成されており、切り取られた表示カードは被包装物の管理情報として、包装用箱から取り出された被包装物と共に配置されることがある。
そうした中で、当該切り取りラインの形状を種々工夫することで、表示カードを容易に切り離すことが可能な包装用箱が提案されている（例えば、特許文献１，２参照）。
【０００３】
特許文献１に記載の包装用箱では、箱本体の側面部に一体的に設けられた表示カードと、表示カードに隣接して設けられた押込部と、表示カードを切り取るため及び押込部を押し込むための切り取りラインと、を備えている。
具体的には、切り取りラインは、表示部を囲むようにして延びている第１破断線と、第１破断線において表示部と押込部の境界線に位置する延出部分から押込部に向かって延出し、押込部の対角線上に延びている第２破断線と、を有している。
上記構成により、押込部を第２破断線に沿って指で押し込むことで表示カードの一辺を摘まむことができ、表示カードの一辺を指で摘まみながら第１破断線に沿って表示カードを切り離すことができる。
【０００４】
また、特許文献２に記載の包装容器では、箱本体の側面部に設けられた表示カードと、表示カードの一端部に一体的に設けられ、箱本体から突出して指で摘まむことが可能な摘まみ部と、表示カードを囲むようにして破線状に延びている切り取りラインと、を備えている。
上記構成により、摘まみ部を指で摘まみながら切り取りラインに沿って表示カードを切り離すことができる。
【先行技術文献】
【特許文献】
【０００５】
【特許文献１】実用新案登録第３１８４６０４号公報
【特許文献２】実用新案登録第３１８４６０３号公報
【発明の概要】
【発明が解決しようとする課題】
【０００６】
しかしながら、従来よりも更に表示カードを容易に切り離すことができ、かつ、持ち運びや配置がし易い形状を有するものが求められていた。
【０００７】
また、医薬品を包装する包装用箱においては、比較的小型な箱でありながら、医薬品に関する情報を複数の側面、蓋面に印刷表示することで分かり易く注意喚起している。
そのため、表示カードをコンパクトに配置し、また表示カードを切り取るための切り取りラインについてもコンパクトに配置することが求められていた。
【０００８】
本発明は、上記の課題に鑑みてなされたものであり、本発明の目的は、被包装物に関する情報を表示する表示部をより容易に切り離すことができ、また持ち運びや配置がし易い包装用箱を提供することにある。
また、本発明の他の目的は、特に医薬品を包装するために用いられ、表示部及び表示部を切り取るための切り取りラインをコンパクトに配置した包装用箱を提供することにある。
【課題を解決するための手段】
【０００９】
前記課題は、本発明の包装用箱によれば、医薬品を包装するために用いられ、前記医薬品に関する情報を表示するための表示部が設けられた包装用箱であって、該包装用箱の本体から前記表示部を切り取るための切り取りラインを備え、該切り取りラインは、前記表示部を囲むようにして破線状に延出し、前記表示部の角を規定するための角規定部を少なくとも１つ以上有する第１切り取りラインと、該第１切り取りラインのうち、前記角規定部において互いに交差しながら延びている一対の延出部分から、それぞれ前記表示部から離れる方向に向かって破線状に延出し、かつ、前記表示部の角を挟むように延びている一対の第２切り取りラインと、該一対の第２切り取りラインの先端部から、それぞれ前記一対の第２切り取りラインに対して交差方向に向けて破線状に延出し、かつ、前記表示部の角を挟むようにして互いに離間して延びている一対の第３切り取りラインと、を備えていること、により解決される。
上記構成により、本発明の包装用箱では、医薬品に関する情報を表示する表示部をより容易に切り取ることができ、また持ち運びや配置がし易くなる。
詳しく説明すると、表示部から離れる方向に向かって破線状に延出し、かつ、表示部の角を挟むように延びている一対の第２切り取りラインに対して指を押し込むことで表示部の角を摘まむことができる。そして、表示部の角を摘まみながら、表示部を囲むようにして破線状に延出する第１切り取りラインに沿って表示部を切り取ることができる。そのため、従来の包装用箱のように表示部の１辺を摘まむ場合と比較して格段に切り取り易くなっている。
また、従来の包装用箱のように表示部の一部が箱本体から突出することがないため、持ち運びや配置がし易くなる。
また、医薬品包装用箱のような比較的小型な箱であって、医薬品に関する情報を全ての側面、蓋面に印刷表示する必要がある場合であっても、本表示カード及び本切り取りラインの構成であれば、比較的コンパクトな配置を実現することができる。
【００１０】
また前記課題は、医薬品を包装するために用いられ、前記医薬品に関する情報を表示するための表示部が設けられた包装用箱であって、該包装用箱の本体から前記表示部を切り取るための切り取りラインを備え、該切り取りラインは、前記表示部を囲むようにして破線状に延出し、前記表示部の角を規定するための角規定部を少なくとも１つ以上有する第１切り取りラインと、該第１切り取りラインのうち、前記角規定部において互いに交差しながら延びている一対の延出部分から、それぞれ前記表示部から離れる方向に向かって破線状に延出し、かつ、前記表示部の角を挟むように延びている一対の第２切り取りラインと、を備え、前記切り取りラインのうち、前記一対の延出部分から、それぞれ前記表示部から離れる方向に向かって破線状に延出する、前記一対の第２切り取りラインを含む一対の切り取りライン部分は、互いに離間して延びていること、によっても解決される。
【００１１】
このとき、前記一対の第３切り取りラインは、互いに略平行となるように延びていると良い。
また、前記一対の第２切り取りラインは、互いに略平行となるように延びていると良い。
上記構成により、切り取りラインに対して指を押し込むことができ、表示部の角を摘まみ易くなる。その結果、表示部を一層容易に切り取ることができる。
【００１２】
このとき、前記第１切り取りラインにおける前記角規定部は、湾曲して形成されていると良い。
上記のように、第１切り取りラインの角規定部が尖ることなく滑らかに形成されているため、表示部の角部を違和感なく指で摘まむことができる。
【００１３】
このとき、破線状の前記第１切り取りラインのうち、前記角規定部の前記一対の延出部分は、該一対の延出部分以外の部分よりも、実線部分の長さが長くなるように形成されていると良い。
上記のように、表示部の切り離し始めの際には、第１切り取り線の実線部分（切込み部分）の長さを長くして切り離し易くなっているため、表示部を最初から最後までスムーズに切り離すことができる。
【発明の効果】
【００１４】
本発明によれば、被包装物に関する情報を表示する表示部をより容易に切り離すことができ、また持ち運びや配置がし易い包装用箱を実現することができる。
特に医薬品を包装するために用いられ、表示部及び表示部を切り取るための切り取りラインをコンパクトに配置した包装用箱を実現できる。
【図面の簡単な説明】
【００１５】
【図１】本実施形態に係る包装用箱の組み立て前の外観斜視図である。
【図２】包装用箱の組み立て後の外観斜視図である。
【図３】表示部を切り取るための切り取りラインの詳細を示す側面図である。
【図４Ａ】表示部を切り取る方法を説明する図である。
【図４Ｂ】表示部を切り取る方法を説明する図である。
【図４Ｃ】表示部を切り取る方法を説明する図である。
【図５Ａ】切り取りラインの変形例を示す側面図である。
【図５Ｂ】切り取りラインの変形例を示す側面図である。
【図５Ｃ】切り取りラインの変形例を示す側面図である。
【図５Ｄ】切り取りラインの変形例を示す側面図である。
【図５Ｅ】切り取りラインの変形例を示す側面図である。
【図６Ａ】切り取りラインの変形例を示す側面図である。
【図６Ｂ】切り取りラインの変形例を示す側面図である。
【図６Ｃ】切り取りラインの変形例を示す側面図である。
【図６Ｄ】切り取りラインの変形例を示す側面図である。
【発明を実施するための形態】
【００１６】
以下、本発明の実施形態について、図１〜図６を参照しながら説明する。
本実施形態は、医薬品に関する情報を表示する表示部を箱本体から切り取るための切り取りラインを備え、当該切り取りラインは、表示部を囲むようにして破線状に延出し、表示部の角を規定するための角規定部を４つ有する第１切り取りラインと、第１切り取りラインのうち、所定の角規定部において互いに交差しながら延びている一対の延出部分から、それぞれ表示部から離れる方向に向かって破線状に延出し、かつ、表示部の角を挟むようにして互いに略平行となるように延びている一対の第２切り取りラインと、を備えていることを特徴とする包装用箱の発明に関するものである。
【００１７】
本実施形態の包装用箱１は、医薬品製剤２を収納するための略直方体形状の箱からなり、一枚のブランクシートを打ち抜いて形成した箱形成シートを折り曲げ組み立てることによって形成されている。
包装用箱１は、図１、図２に示すように、筒状となるように形成される箱胴体部１０と、箱胴体部１０の長尺方向の両端部からそれぞれ連続して延出し、箱胴体部１０との境界線１４，１５（折り曲げ線）が折り曲げられることで箱胴体部１０の開口端部を封鎖するように形成される一対の蓋部２０と、から主に構成されている。
また、箱胴体部１０と蓋部２０との間の境界線１４，１５には、包装用箱１の開封口を形成するための略コ字形状からなる切込みライン３０，４０が形成されている。
さらに、箱胴体部１０の側壁部１１には、医薬品製剤２に関する情報を表示するための表示部５０と、箱胴体部１０の本体から表示部５０を切り取るための切り取りライン６０と、が形成されている。
【００１８】
包装用箱１では、開封用の切込みライン３０，４０に沿って指を押し当てて開封口を形成することで蓋部２０を容易に開封することができ、開封された蓋部２０側から医薬品製剤２を取り出すことや、箱を解体することができる。
また、切り取りライン６０に沿って指を押し当てて箱胴体部１０の一部を凹ませることで表示部５０を摘まむことができ、箱胴体部１０の本体から表示部５０を容易に切り離すことができる。
【００１９】
医薬品製剤２は、錠剤やカプセル剤等の固形製剤からなり、例えば口腔内崩壊製剤等のような脆弱固形製剤である。
医薬品製剤２は、図１に示すように、公知なＰＴＰ包装体によって複数収納された上で、さらにＰＴＰ包装体が公知なピロー包装品によって複数収納された状態で包装用箱１に包装されている。
医薬品製剤２を収納したピロー包装品は、緩衝効果を高めるために添付文書３によって覆われた状態で包装用箱１に収納されている。
なお、包装用箱１に収納される被包装物は、医薬品製剤２のような固形製剤に特に限定されることなく変更可能であって、例えば、アンプルやバイアル等の密封容器に収納された医薬品や、チューブ等の容器に内包された軟膏等の医薬品であっても良い。
【００２０】
箱胴体部１０は、図１、図２に示すように、略中空矩形状からなり、所定の間隔を空けて互いに対向して設けられる一対の側壁部１１と、一対の側壁部１１の上端部分を連結する上壁部１２と、一対の側壁部１１の下端部分を連結する底壁部１３と、から主に構成されている。
蓋部２０は、箱胴体部１０の長尺方向の一端部に設けられ、包装用箱１を解体するために開封される解体用蓋部２０ａと、箱胴体部１０の他端部に設けられ、包装用箱１から医薬品製剤２を取り出すために開封される取り出し用蓋部２０ｂと、を備えている。
解体用蓋部２０ａは、上壁部１２及び底壁部１３のそれぞれの一端部から連続して延出し、箱胴体部１０との境界線１４が折り曲げ可能となるように形成される外側フラップ２１及び内側フラップ２２と、一対の側壁部１１のそれぞれの一端部から連続して延出し、箱胴体部１０との境界線１４が折り曲げ可能に形成される一対のサイドフラップ２３と、から主に構成されている。
取り出し用蓋部２０ｂも同様にして、外側フラップ２１及び内側フラップ２２と、一対のサイドフラップ２３と、から主に構成されている。
【００２１】
上記構成において、包装用箱１を組み立てるときには、図１に示す組み立て前の状態のときに箱胴体部１０の内部に医薬品製剤２及び添付文書３を収納させておき、その後一対のサイドフラップ２３、内側フラップ２２、及び外側フラップ２１の順に折り曲げていき、外側フラップ２１と内側フラップ２２を接着させることで図２に示す形となって完成する。
なお、箱胴体部１０において上壁部１２の表面上には、解体用蓋部２０ａと取り出し用蓋部２０ｂとの違いを明確にするための不図示の印字がなされていてもよい。
【００２２】
表示部５０は、図２、図３に示すように、医薬品製剤２の製品名や含有量、使用期限や製造番号等の情報が印字された略矩形状の表示カードであって、医薬品製剤２の管理情報として箱の本体から切り離されて、包装用箱１から取り出された医薬品製剤２と共に配置されてもよい。
表示部５０は、箱胴体部１０において側壁部１１の表面に一体的に設けられており、詳しく言うと、箱胴体部１０の長尺方向において解体用蓋部２０ａ側に寄らせた位置に配置され、また、表示部５０の下端部分が側壁部１１と底壁部１３との間の境界線上に重なるように配置されている。
【００２３】
切り取りライン６０は、図２、図３に示すように、箱の本体から表示部５０を切り取るための破線ラインであって、表示部５０の外周部分及び表示部５０の周辺部分に形成されている。
切り取りライン６０は、表示部５０を囲むようにして破線状に延出し、表示部５０の角を規定するための角規定部６１ａ〜６１ｄを有する第１切り取りライン６１と、第１切り取りライン６１のうち、第１角規定部６１ａにおいて互いに交差しながら延びている一対の第１延出部分６１ａａ，６１ａｂから、それぞれ表示部５０から離れる方向に向かって破線状に延出し、かつ、表示部５０の角を挟むように延びている一対の第２切り取りライン６２と、を備えている。
また切り取りライン６０は、一対の第２切り取りライン６２の先端部から、それぞれ一対の第２切り取りライン６２に対して交差方向に向けて破線状に延出し、かつ、表示部５０の角を挟むように延びている一対の第３切り取りライン６３をさらに備えている。
【００２４】
第１切り取りライン６１は、矩形枠状からなり、その角規定部６１ａ〜６１ｄが丸く面取りされることで湾曲して形成されている。
第１切り取りライン６１のうち、第１角規定部６１ａを形成する一対の第１延出部分６１ａａ，６１ａｂは、これら第１延出部分６１ａａ，６１ａｂ以外の部分よりも、実線部分（切取り部分）の長さが長くなるように形成されている。
詳しく言うと、一対の第１延出部分６１ａａ，６１ａｂは、第２角規定部６１ｂを形成する一対の第２延出部分６１ｂａ，６１ｂｂよりも、また、第４角規定部６１ｄを形成する一対の第４延出部分６１ｄａ，６１ｄｂよりも、実線部分の長さが長くなるように形成されている。
【００２５】
また、一対の第１延出部分６１ａａ，６１ａｂは、第２延出部分６１ｂｂ及び第４延出部分６１ｄｂよりも、実線部分同士の間隔が大きくなるように形成されている。
【００２６】
さらに、表示部５０の長尺方向に沿って延びている第２延出部分６１ｂａと第４延出部分６１ｄａは、ジッパー状の破線として形成されている。具体的には、表示部５０の長尺方向に沿って延びる実線部分と、当該長尺方向とは交差方向であって表示部５０側に延びる補助実線部分と、を備えている。
【００２７】
一対の第２切り取りライン６２は、一対の第１延出部分６１ａａ，６１ａｂから、それぞれ表示部５０から離れる方向に向かって互いに略平行となるように延びている。
詳しく言うと、一対の第２切り取りライン６２は、箱胴体部１０の側壁部１１の４つの角のうち、第１角規定部６１ａに最も近い上側にある角に向かって延びている。
また、一対の第２切り取りライン６２は、ヒトの指（例えば、人差し指）が間に入る程度の間隔を空けて配置されている。
【００２８】
一対の第３切り取りライン６３は、一対の第２切り取りライン６２の先端部から、それぞれ一対の第２切り取りライン６２に対して交差方向に向けて、言い換えれば上壁部１２に向けて互いに略平行となるように延びている。
また、一対の第３切り取りライン６３についても、ヒトの指が間に入る程度の間隔を空けて配置されている。
【００２９】
次に、包装用箱１の本体から表示部５０を切り取る方法について図４Ａ〜図４Ｃに基づいて説明する。
まず図４Ａに示すように、包装用箱１において側壁部１１の切り取りライン６０が形成された部分の位置にヒトの指（例えば、人差し指）を置く。
具体的には、側壁部１１のうち、第１切り取りライン６１と一対の第２切り取りライン６２と一対の第３切り取りライン６３とで区切られた部分の位置に指を置く。
このとき、一対の第２切り取りライン６２及び一対の第３切り取りライン６３は、それぞれ指を間に挟む程度の間隔を有している。また当該区切られた部分に指の置く位置を案内するための印字がなされている。そのため、指を置く位置が分かり易い。
またこのとき、一対の第２切り取りライン６２は、矩形状の表示部５０の解体用蓋部２０ａ側にある上側の角を挟むようにして、表示部５０の長尺方向に対して上方傾斜ながら延びている。そのため、第２切り取りライン６２が、その延出方向に沿わせて指を斜めに傾けて置くように案内することができる。
【００３０】
そして図４Ｂに示すように、置いた指を押し当てることで、第１切り取りライン６１と一対の第２切り取りライン６２と一対の第３切り取りライン６３とで区切られた部分が箱内部に押し込まれて開口が形成される。
このとき、第２切り取りライン６２が、その延出方向に沿わせて指を斜めに傾けるように案内している。そのため、例えば人差し指と親指とで表示部５０の角を容易に摘まむことができる。
またこのとき、図３に示すように、第１切り取りライン６１の第１角規定部６１ａが丸く面取りされている。そのため、表示部５０の角を違和感なく指で摘まむことができる。
【００３１】
そして図４Ｃに示すように、押し込んだ人差し指と親指とで表示部５０の角を摘まみながら、第１切り取りライン６１に沿って表示部５０を対角線方向に引きながら切り取る。
このとき、図３に示すように、第１切り取りライン６１のうち、第１角規定部６１ａを形成する一対の第１延出部分６１ａａ，６１ａｂは、これら第１延出部分６１ａａ，６１ａｂ以外の部分よりも実線部分（切取り部分）の長さが長くなるように形成されている。そのため、表示部５０を切り離し始めからスムーズに切り離すことができる。
またこのとき、第１切り取りライン６１のうち、表示部５０の長尺方向に沿って延びている第２延出部分６１ｂａと第４延出部分６１ｄａとは、ジッパー状の破線として形成されている。そのため、表示部５０を切り離し途中においてもスムーズに切り離すことができる。
【００３２】
上記方法により、包装用箱１の本体から表示部５０を容易に切り取ることができる。
また上記構成により、従来のように指で摘まむ部分が箱本体から突出しているものではないため、持ち運びや配置がし易い包装用箱１となっている。
さらに上記構成により、医薬品用の包装用箱１として、表示部５０及び切り取りライン６０がコンパクトに配置されたものとなっている。
【００３３】
＜切り取りラインの別実施形態＞
次に、切り取りラインの変形例について、図５Ａ〜図５Ｅ、図６Ａ〜図６Ｄに基づいて説明する。なお、上述した包装用箱１と重複する内容は説明を省略する。
図５Ａ〜図５Ｅにおける包装用箱１０１では、包装用箱１と比較して箱胴体部１１０の側壁部１１１に形成された切り取りライン１６０の形状、配置が異なっている。
【００３４】
図５Ａの包装用箱１０１では、第１切り取りライン１６１と、一対の第２切り取りライン１６２とを備えており、一対の第２切り取りライン１６２は、表示部１５０の角を挟むように延びており、かつ、互いに離れる方向に拡開しながら上方に向けて延びている。
【００３５】
図５Ｂの包装用箱１０１では、第１切り取りライン１６１と、一対の第２切り取りライン１６２とを備えており、一対の第２切り取りライン１６２は、表示部１５０の角を挟むように延びており、かつ、互いに略平行となるように上方傾斜しながら延びている。
【００３６】
図５Ｃの包装用箱１０１では、第１切り取りライン１６１と、一対の第２切り取りライン１６２とを備えており、一対の第２切り取りライン１６２は、表示部１５０の角を挟むように延びており、かつ、互いに略平行となるように上方に向けて延びている。
このとき、一方の第２切り取りライン１６２ａは、まず他方の第２切り取りライン１６２ｂとは直交方向に延びていき、その後に屈曲して第２切り取りライン１６２ｂと略平行となるように延びている。
【００３７】
図５Ｄの包装用箱１０１では、第１切り取りライン１６１と、一対の第２切り取りライン１６２とを備えており、一対の第２切り取りライン１６２は、表示部１５０の角を挟むように延びており、かつ、互いに略平行となるように上方傾斜しながら延びている。
また一対の第２切り取りライン１６２は、側壁部１１１と上壁部１１２の間の境界線（折り曲げ線）を跨いで上壁部１１２まで延びている。
このとき、表示部１５０は、側壁部１１１の上下方向の中央部分に配置されている。
【００３８】
図５Ｅの包装用箱１０１では、第１切り取りライン１６１と、一対の第２切り取りライン１６２とを備えており、一対の第２切り取りライン１６２は、表示部１５０の角を挟むように延びており、かつ、互いに略平行となるように下方に向けて延びている。
このとき、一方の第２切り取りライン１６２ａは、まず他方の第２切り取りライン１６２ｂとは直交方向に延びていき、その後に屈曲して第２切り取りライン１６２ｂと略平行となるように延びている。
またこのとき、表示部１５０は、その上端部分が側壁部１１１と上壁部１１２との間の境界線上に重なるように配置されている。
【００３９】
次に、図６Ａ〜図６Ｄにおける包装用箱２０１についても、包装用箱１と比較して切り取りライン２６０の形状、配置が異なっている。
図６Ａの包装用箱２０１では、第１切り取りライン２６１と、一対の第２切り取りライン２６２とを備えており、第１切り取りライン２６１の角規定部２６１ａが丸く切り欠かれるようにして湾曲して形成されている。
そして一対の第２切り取りライン２６２は、表示部２５０の角を挟むように延びており、かつ、互いに湾曲しながら上斜め方向に向かって延びている。
【００４０】
図６Ｂの包装用箱２０１では、第１切り取りライン２６１と、一対の第２切り取りライン２６２とを備えており、第１切り取りライン２６１の角規定部２６１ａが丸く切り欠かれるようにして湾曲して形成されている。
そして一対の第２切り取りライン２６２は、表示部２５０の角を挟むように延びており、かつ、互いに直交方向に拡開しながら延びている。
【００４１】
図６Ｃの包装用箱２０１では、第１切り取りライン２６１と、一対の第２切り取りライン２６２と、第３切り取りライン２６３とを備えており、第１切り取りライン２６１の角規定部２６１ａが角面取りされて形成されている。
そして一対の第２切り取りライン２６２は、表示部２５０の角を挟むように延びており、かつ、互いに近づきながら湾曲して延びている。第３切り取りライン２６３は、一対の第２切り取りライン２６２の先端部同士を連結するように湾曲して延びている。
言い換えれば、一対の第２切り取りライン２６２と、第３切り取りライン２６３とが一体となって略Ｕ字形状を形成している。
【００４２】
図６Ｄの包装用箱２０１では、第１切り取りライン２６１と、一対の第２切り取りライン２６２とを備えており、第１切り取りライン２６１の角規定部２６１ａが角面取りされて形成されている。
そして一対の第２切り取りライン２６２は、表示部２５０の角を挟むように延びており、かつ、互いに略平行となるように上方傾斜しながら延びている。
【００４３】
上記構成であっても、切り取りラインに対して指を押し込むことができ、表示部の角を摘まみ易くなる。そして表示部を一層容易に切り取ることができる。
また、従来のように指で摘まむ部分が箱本体から突出していないため、持ち運びや配置がし易い包装用箱となる。
さらに、医薬品用の包装用箱として、表示部及び切り取りラインをコンパクトに配置したものとなる。
【００４４】
＜その他の実施形態＞
上記実施形態において、図２に示すように、包装用箱１は直方体状の箱からなるが、特に限定されることなく変更可能であって、例えば円柱形状や三角柱形状等であっても良い。
また包装用箱１は、箱胴体部１０の両端部にそれぞれ蓋部２０が設けられているが、特に限定されることなく、箱胴体部１０の一端部にのみ蓋部２０が設けられていても良い。
【００４５】
上記実施形態において、図１に示すように、包装用箱１には被包装物として医薬品製剤２が収納されているが、医薬品に特に限定されることなく変更可能であって、例えば固形食品、各種装飾品、または電池のような各種生活用品、各種機器等が被包装物として収納されていても良い。
【００４６】
上記実施形態において、図２に示すように、表示部５０は箱胴体部１０において側壁部１１の表面に設けられているが、特に限定されることなく変更可能であって、箱胴体部１０の上壁部１２や底壁部１３に設けられても良いし、蓋部２０に設けられていても良い。
なお、表示部５０が側壁部１１に設けられていれば、例えば包装用箱１を棚に積み上げて配置したときに表示部５０が見易くなるため望ましい。
【００４７】
上記実施形態において、図２に示すように、表示部５０は略矩形状からなるが、特に限定されることなく変更可能であって、例えば矩形状以外の多角形状であっても良い。
【００４８】
上記実施形態においては、図２、図３に示すように、一対の第１延出部分６１ａａ，６１ａｂは、第２角規定部６１ｂの第２延出部分６１ｂａよりも、また、第４角規定部６１ｄの第４延出部分６１ｄａよりも、実線部分同士の間隔が小さくなるように形成されているがこれに限定されるものではない。例えば、一対の第１延出部分６１ａａ，６１ａｂが、第２角規定部６１ｂの第２延出部分６１ｂａよりも、また、第４角規定部６１ｄの第４延出部分６１ｄａよりも、実線部分同士の間隔が大きくなるように形成されていてもよい。
【００４９】
本実施形態では、主として本発明に係る包装用箱に関して説明した。
ただし、上記の実施形態は、本発明の理解を容易にするための一例に過ぎず、本発明を限定するものではない。本発明は、その趣旨を逸脱することなく、変更、改良され得ると共に、本発明にはその等価物が含まれることは勿論である。
【符号の説明】
【００５０】
１，１０１，２０１  包装用箱（医薬品包装用箱）
２  医薬品製剤
３  添付文書
１０，１１０  箱胴体部
１１，１１１  側壁部
１２，１１２  上壁部
１３  底壁部
１４，１５  境界線（折り曲げ線）
２０  蓋部
２０ａ  解体用蓋部
２０ｂ  取り出し用蓋部
２１  外側フラップ
２２  内側フラップ
２３  サイドフラップ
３０，４０  切込みライン
５０，１５０，２５０  表示部
６０，１６０，２６０  切り取りライン
６１，１６１，２６１  第１切り取りライン
６１ａ，２６１ａ  第１角規定部（角規定部）
６１ａａ，６１ａｂ  第１延出部分
６１ｂ  第２角規定部
６１ｂａ，６１ｂｂ  第２延出部分
６１ｃ  第３角規定部
６１ｄ  第４角規定部
６１ｄａ，６１ｄｂ  第４延出部分
６２，１６２，１６２ａ，１６２ｂ，２６２  第２切り取りライン
６３，２６３  第３切り取りライン
【図１】
0006439775.tif 000002
【図２】
0006439775.tif 000003
【図３】
0006439775.tif 000004
【図４Ａ】
0006439775.tif 000005
【図４Ｂ】
0006439775.tif 000006
【図４Ｃ】
0006439775.tif 000007
【図５Ａ】
0006439775.tif 000008
【図５Ｂ】
0006439775.tif 000009
【図５Ｃ】
0006439775.tif 000010
【図５Ｄ】
0006439775.tif 000011
【図５Ｅ】
0006439775.tif 000012
【図６Ａ】
0006439775.tif 000013
【図６Ｂ】
0006439775.tif 000014
【図６Ｃ】
0006439775.tif 000015
【図６Ｄ】
0006439775.tif 000016